(57)【要約】【課題】室内の壁下地材１上に壁パネル２を取り付ける場合において、パネル間の継ぎ目を目立ち難くし、部屋の狭小感をなくし、さらにはパネルの垂直や水平の各基準を正確にかつ容易に出してパネル間に隙間を出難くしつつ、壁パネルの施工性の向上、施工スピードの迅速化、施工の容易化、貼り替えの容易化、意匠性の向上を図る。【解決手段】壁パネル２を３枚の横貼りパネル３〜５に上下に分割し、上下に隣接する横貼りパネル３〜５を、両パネル３〜５間に間隔Ｓ１，Ｓ２をあけてかつ上側横貼りパネル３，４の下端部及び下側横貼りパネル４，５の上端部がそれぞれジョイナ８，９により壁下地材１に固定された状態で配置し、上下の横貼りパネル３〜５間の間隔に、水平方向に延びる化粧材１４，１５を壁下地材１表面に接着により取付固定された状態で配置し、間隔Ｓ１，Ｓ２内に位置するジョイナ８，９の少なくとも一部を化粧材１４，１５により覆って隠蔽する。【選択図】　図１
2004044195.tif 000002
【特許請求の範囲】
【請求項１】
室内の壁下地材上に壁パネルが取り付けられる乾式壁の壁構造であって、
上記壁パネルは少なくとも２枚の横貼りパネルに上下に分割され、
上記上下に隣接する横貼りパネルは、両パネル間に間隔をあけてかつ上側横貼りパネルの下端部及び下側横貼りパネルの上端部がそれぞれジョイナにより壁下地材に固定された状態で配置され、
上記上下の横貼りパネル間の間隔には、水平方向に延びる化粧材が固定された状態で配置され、
上記間隔内に位置するジョイナの少なくとも一部が上記化粧材に覆われて隠蔽されていることを特徴とする乾式壁の壁構造。
【請求項２】
請求項１の乾式壁の壁構造において、
上側横貼りパネルの下端部を取り付ける上側ジョイナは、壁下地材に取り付けられる取付部と、該取付部の下端部表面から突出し、上側横貼りパネルの下端部を受ける受部とを備えてなる一方、
下側横貼りパネルの上端部を取り付ける下側ジョイナは、壁下地材に取り付けられる取付部と、該取付部の下端部表面から突出し、下側横貼りパネルの上端部を受ける受部とを備えてなり、
化粧材は上記上側ジョイナの受部と、下側ジョイナの取付部及び受部とを少なくとも隠蔽していることを特徴とする乾式壁の壁構造。
【請求項３】
請求項１又は２の乾式壁の壁構造において、
最上端に位置する上側横貼りパネルの上端部表面には廻り縁が、また最下端に位置する下側横貼りパネルの下端部表面には巾木がそれぞれ取り付けられていることを特徴とする乾式壁の壁構造。
【請求項４】
請求項１〜３のいずれか１つの乾式壁の壁構造において、
化粧材は、タイル又はガラスを備えてなることを特徴とする乾式壁の壁構造。
【請求項５】
請求項１〜４のいずれか１つの乾式壁の壁構造において、
化粧材は、両面テープ、両ファスナ又は接着剤で壁下地材表面に接着されていることを特徴とする乾式壁の壁構造。
【請求項６】
請求項１〜５のいずれか１つの乾式壁の壁構造において、
ジョイナは釘又はビスで壁下地材に固定されていることを特徴とする乾式壁の壁構造。
【請求項７】
請求項１の乾式壁の壁構造において、
窓枠は、１枚の横貼りパネル内に配置されていることを特徴とする乾式壁の壁構造。
【請求項８】
室内の壁下地材上に壁パネルが取り付けられる乾式壁の施工方法であって、
上記壁パネルを少なくとも２枚の横貼りパネルに上下に分割し、
上記上下に隣接する横貼りパネルを、両パネル間に間隔をあけてかつ上側横貼りパネルの下端部及び下側横貼りパネルの上端部がそれぞれジョイナにより壁下地材に固定された状態で配置し、
上記上下の横貼りパネル間の間隔に、水平方向に延びる化粧材を固定された状態で配置し、
上記間隔内に位置するジョイナの少なくとも一部を上記化粧材により覆って隠蔽することを特徴とする乾式壁の施工方法。
【発明の詳細な説明】
【０００１】
【発明の属する技術分野】
本発明は、乾式壁の壁構造及びその施工方法に関する技術分野に属する。
【０００２】
【従来の技術】
従来より、例えば洗面所やトイレ等の空間における壁下地材上に壁パネルを取り付けてなる乾式壁の壁構造として、裏面にフレーム枠を有する壁パネルを予め作っておき、この壁パネル同士を並べて結合するように施工したものが知られている。
【０００３】
しかし、この構造では、パネルのフレーム枠と壁下地材とを結合するために隙間を設ける必要があり、その隙間の分だけ、パネルが室内側に突出して、室内空間の大きさが小さくなってしまい、洗面所やトイレ等の狭小空間では不利になる。
【０００４】
これに対し、壁下地材上に直接に化粧壁材を接着剤や両面テープ等を用いて取付固定する方法も知られている。この他、例えば実公平８―１０１２３号公報、登録実用新案第２５０３３３４号、特許第２９１９０８８号等に示されるように、室内の壁下地材上に取り付けられる壁パネルを複数枚の縦長パネルに分割し、これら縦長パネルを左右水平方向に目地部（間隔）をあけて配置して、各パネルの左右側縁部を釘等により壁下地材に固定し、左右に隣り合うパネル間の上下方向の目地部に縦框、連結部材、ジョイナ等を嵌合して固定するようにしている。
【０００５】
一方、特開平１０―８６８２号公報に開示されるように、壁下地材上に配置されるプラスタボードを所定高さ位置で上下に２分割してその継目位置に水平方向の仕切部材を取り付けるか、或いは、上下に分割されていない１枚もののプラスタボードにおける同じ高さ位置に同様の仕切部材を取り付け、この仕切部材で分けられる上下のプラスタボード表面にそれぞれ内装材としてのビニルクロスを貼り付けたものが提案されている。
【０００６】
【発明が解決しようとする課題】
ところで、上記のように、壁下地材上に直接に化粧壁材を接着剤や両面テープ等を用いて取付固定する方法では、裏面にフレーム枠を有する壁パネルを用いる場合の如き問題は生じないが、その反面、接着剤や両面テープの養生硬化に時間がかかり、施工スピードが遅くなるのみならず、貼り替えの際にも大掛かりな工事が必要となるという問題があった。
【０００７】
また、上記前者の従来例のように、壁パネルを縦長のものとし、これらを左右方向に並べて壁下地材上に貼り付ける縦貼り方式の場合、パネル間の継ぎ目が上下方向に延びるものとなるので、それが目立ち易くなるばかりでなく、継ぎ目ラインによる連続感によって部屋が狭く感じる難がある。
【０００８】
しかも、複数の壁パネルを壁下地材上に貼る場合、その下端の水平辺部を基準とする床面に接した状態で施工するが、縦貼り方式では、各パネル下端の水平辺部が左右の垂直辺部よりも短い短辺部となり、その床面に接する長さが短いので、パネルの垂直や水平の各基準を正確に出すのが難しく、隣接するパネル間に隙間が出易く、それを避けるように施工するには熟練を要するという問題があった。
【０００９】
本発明は斯かる点に鑑みてなされたもので、その目的は、乾式壁の壁構造及びその施工方法に工夫を加えることにより、パネル間の継ぎ目を目立ち難くし、部屋の狭小感をなくし、さらにはパネルの垂直や水平の各基準を正確にかつ容易に出してパネル間に隙間を出難くしつつ、壁パネルの施工性の向上、施工スピードの迅速化、施工の容易化、貼り替えの容易化、意匠性の向上を図ることにある。
【００１０】
【課題を解決するための手段】
上記の目的を達成するために、この発明では、壁パネルを複数枚の横貼りパネルで構成し、上下のパネル間に間隔をあけて、各々の隣接側端部をそれぞれジョイナを介して壁下地材に取付固定し、上下パネル間の間隔にタイルやガラス等を用いた化粧材をジョイナの一部が隠蔽されるように配置して、その裏面で壁下地材に接着するようにした。
【００１１】
具体的には、請求項１の発明では、室内の壁下地材上に壁パネルが取り付けられる乾式壁の壁構造として、上記壁パネルは少なくとも２枚の横貼りパネルに上下に分割され、上下に隣接する横貼りパネルは、両パネル間に間隔をあけてかつ上側横貼りパネルの下端部及び下側横貼りパネルの上端部がそれぞれジョイナにより壁下地材に固定された状態で配置され、上下の横貼りパネル間の間隔には、水平方向に延びる化粧材が固定された状態で配置され、上記間隔内に位置するジョイナの少なくとも一部が上記化粧材に覆われて隠蔽されていることを特徴とする。
【００１２】
上記の構成によると、壁の施工を行う場合、壁パネルを構成する少なくとも２枚の横貼りパネルは両パネル間に間隔をあけて横貼り状態に配置され、上側横貼りパネルの下端部及び下側横貼りパネルの上端部はそれぞれジョイナにより壁下地材に固定される。そして、横貼りパネル間の間隔には、水平方向に延びる化粧材が配置され、この化粧材は壁下地材表面に固定される。この化粧材により、上記間隔内に位置するジョイナの少なくとも一部が覆われて隠蔽される。
【００１３】
このとき、壁パネルを上下に分割して施工するので、壁全体の１枚もののパネルを施工するのに比べ、施工が容易となる。
【００１４】
しかも、上記横貼りパネルは床面と接する下端部の基準部が長辺となっていて長いので、パネルの垂直や水平の各基準を正確に出すのが容易となり、熟練者でなくても目隙の生じない施工を行うことができる。しかも、壁パネルは少なくとも２枚の横貼りパネルに分割されているので、各横貼りパネルの寸法変化も分散され、パネル間の目隙が生じ難くなる。
【００１５】
また、壁パネルの施工は壁下地材表面に横貼りパネルを上貼りする施工で、しかも接着剤等を要しない乾式施工であるので、その接着剤等の養生硬化を待つ必要がなく、施工スピードを速くして例えばリフォームに好適となる。
【００１６】
上側横貼りパネルの下端部及び下側横貼りパネルの上端部はそれぞれジョイナで固定され、このジョイナにおいて間隔内に位置する部分の少なくとも一部が化粧材に覆われて隠蔽されているので、壁の意匠性の向上を図ることができる。しかも、上下に隣接する横貼りパネル間の間隔に化粧材が配置されているので、横貼りパネル間の継ぎ目が目立ち難くなり、意匠性のより一層の向上を図ることができる。
【００１７】
上記化粧材は、壁下地材表面に接着により取付固定されているので、この化粧材を取外し可能な程度に接着しておけば、施工後でも容易に取り外すことができ、その取換えを行うことができる。そして、この化粧材の取外しによりジョイナが露出し、このジョイナを簡単に取り外すことができ、横貼りパネルの部分的な取外しや交換が容易となる。
【００１８】
さらに、横貼りパネルと壁下地材との間にジョイナの厚さ分だけの隙間が生じるが、このジョイナの厚さは薄いので、横貼りパネルを壁下地材に直接に接触状態で取付固定したのと同等となり、パネルの室内への突出量が小さく、洗面所やトイレ等の狭小空間でも、その内寸法を大きくして室内空間の容積を広くすることができる。
【００１９】
請求項２の発明では、上記上側横貼りパネルの下端部を取り付ける上側ジョイナは、壁下地材に取り付けられる取付部と、この取付部の下端部表面から突出し、上側横貼りパネルの下端部を受ける受部とを備えてなる。一方、下側横貼りパネルの上端部を取り付ける下側ジョイナは、壁下地材に取り付けられる取付部と、この取付部の下端部表面から突出し、下側横貼りパネルの上端部を受ける受部とを備えてなる。そして、化粧材は上記上側ジョイナの受部と、下側ジョイナの取付部及び受部とを少なくとも隠蔽していることを特徴とする。
【００２０】
こうすれば、壁パネルを複数の横貼りパネルに分割したときの分割面、つまり上側横貼りパネルの下端面及び下側横貼りパネルの上端面がそれぞれ上下のジョイナの受部で隠され、これら両ジョイナの受部が化粧材により隠蔽されることとなり、壁の意匠性の向上を図ることができる。
【００２１】
請求項３の発明では、最上端に位置する上側横貼りパネルの上端部表面には廻り縁が、また最下端に位置する下側横貼りパネルの下端部表面には巾木がそれぞれ取り付けられていることを特徴とする。このことで、天井近くの上側横貼りパネルの上端部を廻り縁により、また床面近くの下側横貼りパネルの下端部を巾木によりそれぞれ覆うことができる。
【００２２】
請求項４の発明では、上記化粧材は、タイル又はガラスを備えてなるものとする。こうすると、好適な化粧材が具体的に容易に得られる。
【００２３】
請求項５の発明では、上記化粧材は、両面テープ、両ファスナ又は接着剤で壁下地材表面に接着されている構成とする。このことで、化粧材の施工及び取外しが容易になる。
【００２４】
請求項６の発明では、上記ジョイナは釘又はビスで壁下地材に固定されていることを特徴とする。ジョイナの壁下地材への望ましい固定構造が得られる。
【００２５】
請求項７の発明では、窓枠は、１枚の横貼りパネル内に配置されていることを特徴とする。すなわち、例えば、壁の上下中間部に窓枠がある場合、壁パネルを、窓枠の上側及び下側にそれぞれ位置する横貼りパネルと、これら上下の横貼りパネル間に位置する今１つの横貼りパネルとに分割し、この上下中間の横貼りパネルの長さ方向中間部を窓枠の左右幅分だけ切り除き、その残りの部分を窓枠の左右両側に配置する。そして、上下に隣接する横貼りパネル、つまり窓枠上側のパネル下端部及び窓枠横側のパネル上端部（ないしは窓枠の上端部）、並びに窓枠横側のパネル下端部（ないしは窓枠の下端部）及び窓枠下側のパネル上端部をそれぞれ間隔をあけて配置し、その間隔にそれぞれ化粧材を配置すればよい。或いは、窓枠が天井近くや床面近くに配置されるときには、それぞれ窓枠上側の横貼りパネル又は窓枠下側の横貼りパネルを省略すればよい。このことで、壁に窓枠がある場合でも壁パネルの位置調整が容易となる。
【００２６】
請求項８の発明は、室内の壁下地材上に壁パネルが取り付けられる乾式壁の施工方法の発明であり、この発明では、上記壁パネルを少なくとも２枚の横貼りパネルに上下に分割し、上記上下に隣接する横貼りパネルを、両パネル間に間隔をあけてかつ上側横貼りパネルの下端部及び下側横貼りパネルの上端部がそれぞれジョイナにより壁下地材に固定された状態で配置する。また、上記上下の横貼りパネル間の間隔に、水平方向に延びる化粧材を固定された状態で配置し、上記間隔内に位置するジョイナの少なくとも一部を上記化粧材により覆って隠蔽する。この発明でも上記請求項１の発明と同様の作用効果を奏することができる。
【００２７】
【発明の実施の形態】
（実施形態１）
図７は本発明の実施形態に係る壁構造を適用した洗面所の平面図であり、この洗面所の床面上には正面の左側に洗面コンポーネントＡが設置され、同右側には洗濯機Ｂ（図示例ではドラム式洗濯機）を載置する洗濯機用パンＣが設けられている。
【００２８】
図６に示すように、上記洗面コンポーネントＡ１は、抽斗Ａ２，Ａ２…を有するボックス本体Ａ１の上面に洗面台Ａ３を設けたもので、この洗面台Ａ３奥側のボックス本体Ａ１上面には、分割されたスイングミラーＡ４，Ａ４，…（三面鏡）が一体的に立設されている。図５及び図６中、Ｂ１は洗濯機Ｂに接続される給水蛇口である。
【００２９】
このような洗面所の周りの壁構造はいずれも同じであり、図６に正面壁を、また図５に右側壁をそれぞれ示している。尚、図示しないが、左側壁は右側壁と同じである。
【００３０】
図４に示すように、洗面所の各壁は、その壁下地材１上に壁パネル２取り付けられた乾式壁とされている。上記壁パネル２は、上側、中間及び下側の３枚の横貼りパネル３〜５に上下に分割されている。これら横貼りパネル３〜５はいずれも例えば横寸法（水平寸法）の方が縦寸法（上下寸法）よりも長い横長形状のもので、各壁においては各横貼りパネル３〜５の横寸法が同じである。また、上側及び下側横貼りパネル３，５の縦寸法は同じであり（洗濯機Ｂの高さよりも少し高い寸法）、これら上側及び下側横貼りパネル３，５の縦寸法に対し中間横貼りパネル４の縦寸法は短く設定されている。この各パネル３〜５は、例えばケイ酸カルシウム板、石材、大建工業（株）製の商品名「ダイライト」、木質化粧板、合板、石膏ボード等が用いられる。尚、各パネル３〜５の縦寸法は適宜変えることができる。
【００３１】
上記上下に隣接する横貼りパネル、すなわち上側横貼りパネル３及び中間横貼りパネル４、並びに該中間横貼りパネル４及び下側横貼りパネル５は、それぞれ両パネル３，４及び４，５間に一定幅の凹溝状の間隔Ｓ１，Ｓ２をあけて配置されている。上側横貼りパネル３及び中間横貼りパネル４の各下端部は第１ジョイナ８（上側ジョイナ）により、また中間横貼りパネル４及び下側横貼りパネル５の各上端部は第２ジョイナ９（下側ジョイナ）によりそれぞれ壁下地材１上に取付固定されている。この各ジョイナ８，９はいずれも横貼りパネル３〜５の長さ方向全体に亘って連続して延びる長尺状の例えばＡＢＳ、ポリプロピレン、塩化ビニル樹脂等からなる樹脂製（金属製でもよい）のものである。
【００３２】
上記横貼りパネル３，４の下端部を取り付ける上側ジョイナとしての上記第１ジョイナ８は、図１に示すように、裏面が壁下地材１表面に当接するように配置されて上端部にて木ビス１１（又は釘でもよい）により壁下地材１に取り付けられる板状の取付部８ａと、この取付部８ａの下端部寄り表面から室内側に水平に突出し、横貼りパネル３，４の厚さよりも若干大きい幅を有する板状の受部８ｂと、この受部８ｂの先端部から上側に折り曲げられた状態で突出する係止部８ｃとを備えてなり、取付部８ａ表面において受部８ｂよりも上側部分と係止部８ｃの裏面との間に横貼りパネル３，４の下端部を嵌合した状態で、その下端面を受部８ｂ上面で受けるようにしている。尚、この横貼りパネル３，４の裏側に、上記第１ジョイナ８の取付部８ａ表面において受部８ｂよりも上側部分と木ビス１１とが隠蔽される。
【００３３】
一方、中間及び下側横貼りパネル４，５の上端部を取り付ける下側ジョイナとしての第２ジョイナ９は、同じ図１にて示す如く、裏面が壁下地材１表面に当接するように配置されて上端部にて木ビス１１（又は釘でもよい）により壁下地材１に取り付けられる板状の取付部９ａと、この取付部９ａの下端部寄り表面から室内側に水平に突出し、横貼りパネル４，５の厚さよりも若干大きい幅を有する板状の受部９ｂと、この受部９ｂの先端部から下側に折り曲げられた状態で突出する係止部９ｃとを備えてなり、取付部９ａ表面において受部９ｂよりも下側部分と係止部９ｃの裏面との間に横貼りパネル４，５の上端部を嵌合した状態で、その上端面を受部９ｂ下面で受けるようにしている。
【００３４】
上記上下に隣接する横貼りパネル間、つまり上側横貼りパネル３の下端部と中間横貼りパネル４の上端部との間、及び中間横貼りパネル４の下端部と下側横貼りパネル５の上端部との間の各凹溝状の間隔Ｓ１，Ｓ２にはそれぞれ水平方向に延びる化粧材１４，１５が嵌め込まれて配置されている。この各化粧材１４，１５は、細板状の基材表面にタイルを接着一体化した所定幅（例えば６５ｍｍ）のものでいわゆるボーダータイルを構成し、その厚さは横貼りパネル３〜５の厚さと略同じかそれよりも若干薄く設定されている。この化粧材１４，１５は、その裏面にて上記横貼りパネル３〜５間の間隔Ｓ１，Ｓ２に位置する壁下地材１表面に接着により取付固定されている。具体的には、この化粧材１４，１５は、両面テープ、両ファスナ又は接着剤で壁下地材１表面に接着されている。尚、化粧材１４，１５は、タイルに代えてガラス（色付きガラスや不透明ガラスが望ましい）を用いることもできる。
【００３５】
そして、上記横貼りパネル３〜５間の間隔Ｓ１，Ｓ２に化粧材１４，１５を嵌合して裏面にて壁下地材１表面に接着することで、横貼りパネル３〜５間の間隔Ｓ１，Ｓ２に位置するジョイナ８，９の一部、つまり第１ジョイナ８の取付部８ａ表面において受部８ｂよりも下側部分と、第２ジョイナ９の取付部９ａ表面において受部９ｂよりも上側部分（木ビス１１の頭部をも含む）と、第１ジョイナ８の受部８ｂ下面と、第２ジョイナ９の受部９ｂ上面とが化粧材１４，１５に覆われて隠蔽されている。尚、各ジョイナ８，９の係止部８ｃ，９ｃ表面は室内に露出している。
【００３６】
また、図２にも示すように、最上端に位置する上側横貼りパネル３の上端部はそれを貫通する木ビス１１により壁下地材１上に固定され、このパネル３の上端部表面には木ビス１１の頭部を隠蔽するように廻り縁１８が取り付けられている。尚、１９は天井材、２０は、該天井材１９を周縁部にて挟持しかつ天井下地材２１に木ビス１１により固定される断面略Ｌ字状の天井用ジョイナであり、このジョイナ２０を介して天井材１９が天井下地材２１に取付固定される。
【００３７】
さらに、図３にも示すように、最下端に位置する下側横貼りパネル５の下端部はそれを貫通する木ビス１１により壁下地材１上に取り付けられ、このパネル５の表面には巾木２４が木ビス１１の頭部を隠蔽するように固定されている。尚、２５は床下地材２６上に木ビス１１により取付固定される床材である。
【００３８】
次に、上記実施形態の構造の乾式壁の施工方法について説明する。まず、施工現場において、壁パネル２を上側、中間及び下側の３枚の横貼りパネル３〜５に上下に分割する。尚、これら３枚の横貼りパネル３〜５は前もって分割されているものを用いることもできる。そして、下側横貼りパネル５の下端部を床材２５上に当接させ、この下側横貼りパネル５の下端部をそれに木ビス１１を貫通させて壁下地材１に取付固定する。また、下側横貼りパネル５の上端部に第２ジョイナ９の取付部９ａ及び係止部９ｃ間の受部９ｂを嵌合して、その取付部９ａの上端部を木ビス１１により壁下地材１に取付固定する。このことで、下側横貼りパネル５が壁下地材１上に固定される。尚、下側横貼りパネル５の下端部表面上に巾木２４を取り付ける。
【００３９】
次いで、上記下側横貼りパネル５の上端部から所定寸法離れた位置を中間横貼りパネル４の下端部の位置に設定し、この中間横貼りパネル４の下端部の位置に第１ジョイナ８をその取付部８ａ上端にて木ビス１１により壁下地材１に取付固定し、このジョイナ８の取付部８ａと係止部８ｃとの間の受部８ｂ内に中間横貼りパネル４の下端部を落とし込むことで、その中間横貼りパネル４の下端部を壁下地材１に固定する。
【００４０】
この後、上記下側横貼りパネル５の上端部と同様に、中間横貼りパネル４の上端部にもう１つの第２ジョイナ９の取付部９ａ及び係止部９ｃ間の受部９ｂを嵌合して、その取付部９ａの上端部を木ビス１１により壁下地材１に取付固定する。このことで、中間横貼りパネル４は壁下地材１上にパネル４上端部を第１ジョイナ８を介して、また下端部を第２ジョイナ９を介してそれぞれ取付固定される。また、中間及び下側横貼りパネル４，５は両パネル４，５間に水平方向に延びる間隔Ｓ２があけられてそれぞれ壁下地材１上の所定位置に配置される。
【００４１】
さらに、上記中間横貼りパネル４の上端部から所定寸法離れた位置を上側横貼りパネル３の下端部の位置に設定し、この上側横貼りパネル３の下端部の位置に今１つの第１ジョイナ８をその取付部８ａ上端にて木ビス１１により壁下地材１に取付固定し、このジョイナ８の取付部８ａと係止部８ｃとの間の受部８ｂ内に上側横貼りパネル３の下端部を落とし込むことで、その上側横貼りパネル３の下端部を壁下地材１に固定する。この後、この上側横貼りパネル３の上端部をそれに木ビス１１を貫通させて壁下地材１に取付固定し、このことで、上側横貼りパネル３が壁下地材１上に固定される。この上側横貼りパネル３の上端部表面上に廻り縁１８を取り付ける。そして、上側及び中間横貼りパネル３，４は両横貼りパネル３，４間に水平方向に延びる間隔Ｓ１があけられてそれぞれ壁下地材１上の所定位置に配置される。
【００４２】
このようにして壁下地材１上に取付固定された横貼りパネル３〜５間に上下２つの溝状の間隔Ｓ１，Ｓ２が形成されると、この各間隔Ｓ１，Ｓ２にそれぞれ化粧材１４，１５を嵌合配置し、この各化粧材１４，１５を裏面にて壁下地材１表面に接着により取付固定する。このことで、横貼りパネル３〜５間の間隔Ｓ１，Ｓ２において、第１ジョイナ８の取付部８ａ表面の受部８ｂよりも下側部分と、第２ジョイナ９の取付部９ａ表面の受部９ｂよりも上側部分（木ビス１１の頭部をも含む）と、第１ジョイナ８の受部８ｂ下面と、第２ジョイナ９の受部９ｂ上面とを化粧材１４，１５により覆って隠蔽する。各ジョイナ８，９の係止部８ｃ，９ｃ表面は室内に露出される。
【００４３】
したがって、この実施形態においては、壁パネル２を上下に分割して施工するので、壁全体の１枚もののパネル２をそのまま施工するのに比べ、施工が容易となる。
【００４４】
また、上記下側横貼りパネル５は床面と接する下端部の基準部が長辺となっていて長いので、各横貼りパネル３〜５の垂直や水平の各基準を正確に出すのが容易となり、熟練者でなくても目隙の生じない施工を行うことができる。しかも、壁パネル２は３枚の横貼りパネル３〜５に分割されているので、各横貼りパネル３〜５の寸法変化も分散され、パネル３〜５間の目隙が生じ難くなる。
【００４５】
また、壁パネル２の施工は壁下地材１表面に横貼りパネル３〜５を上貼りする施工で、しかも接着剤等を要しない乾式施工であるので、その接着剤等の養生硬化を待つ必要がなく、施工スピードを速くしてリフォームに好適となる。
【００４６】
上側横貼りパネル３及び中間横貼りパネル４の各下端部は第１ジョイナ８により、また中間横貼りパネル４及び下側横貼りパネル５の各上端部は第２ジョイナ９によりそれぞれ固定され、第１ジョイナ８の取付部８ａ表面において受部８ｂよりも下側部分と、第２ジョイナ９の取付部９ａ表面において受部９ｂよりも上側部分（木ビス１１の頭部を含む）と、第１ジョイナ８の受部８ｂ下面と、第２ジョイナ９の受部９ｂ上面とが化粧材１４，１５により覆われて隠蔽されているので、壁の意匠性の向上を図ることができる。尚、各ジョイナ８，９の係止部８ｃ，９ｃ表面は室内に露出するが、その面積は小さいので、さほど問題にはならない。
【００４７】
しかも、上下に隣接する横貼りパネル３〜５間の間隔Ｓ１，Ｓ２に化粧材１４，１５が配置されているので、横貼りパネル３〜５間の継ぎ目は目立ち難くなり、意匠性のより一層の向上を図ることができる。
【００４８】
上記各化粧材１４，１５は、壁下地材１表面に接着により取外し可能に取付固定されているので、施工後でも容易に取り外すことができ、その取換えを行うことができる。また、この化粧材１４，１５の取外しによりジョイナ８，９が露出し、このジョイナ８，９をも簡単に取り外すことができ、横貼りパネル３〜５の部分的な取外しや交換が容易となる。
【００４９】
さらに、横貼りパネル３〜５と壁下地材１との間にジョイナ８，９の取付部８ａ，９ａの厚さ分だけの隙間が生じるが、このジョイナ８，９の取付部８ａ，９ａの厚さは薄いので、横貼りパネル３〜５を壁下地材１に直接に接触状態で取付固定したのと同等となり、パネル３〜５の室内への突出量が小さく、洗面所の狭小空間でも、その内寸法を大きくして室内空間の容積を広くすることができる。
【００５０】
また、最上端に位置する上側横貼りパネル３の上端部表面には廻り縁１８が、また最下端に位置する下側横貼りパネル５の下端部表面には巾木２４がそれぞれ取り付けられているので、天井近くの上側横貼りパネル３の上端部を廻り縁１８により、また床面近くの下側横貼りパネル５の下端部を巾木２４によりそれぞれ覆って固定することができる。
【００５１】
（実施形態２）
図８は本発明の実施形態２を示し（尚、図１〜図７と同じ部分については同じ符号を付してその詳細な説明は省略する）、窓枠がある壁に適用したものである。
【００５２】
すなわち、この実施形態では、窓枠３０は１枚の中間横貼りパネル４内に配置されている。具体的には、壁パネル２を上下に３分割して上側、中間及び下側横貼りパネル３〜５を形成する際、窓枠３０の上側に上側横貼りパネル３が、また下側に下側横貼りパネル５がそれぞれ化粧材配置用の間隔Ｓ１，Ｓ２をあけて配置されるように、具体的には中間横貼りパネル４の縦寸法が窓枠３０の高さ寸法と同じになるように各パネル３〜５の縦寸法が設定されている。
【００５３】
さらに、中間横貼りパネル４の長さ方向中間部を窓枠３０の左右幅分だけ切り除き、その残りの部分を窓枠３０の左右両側に配置する。そして、上下に隣接する横貼りパネル、つまり窓枠３０上側の上側横貼りパネル３下端部と窓枠３０横側の中間横貼りパネル４上端部ないし窓枠３０の上端部との間、窓枠３０下側の下側横貼りパネル５上端部と窓枠３０横側の中間横貼りパネル４下端部ないし窓枠３０の下端部との間にそれぞれ化粧材１４，１５が配置されている。その他の構成は上記実施形態１と同様である。
【００５４】
したがって、この実施形態においては、壁に窓枠３０がある場合でも壁パネルの位置調整が容易となる。
【００５５】
（他の実施形態）
尚、上記実施形態２では、中間横貼りパネル４の縦寸法を窓枠３０の高さ寸法と同じに設定して、窓枠３０の上下にそれぞれ化粧材配置用の間隔Ｓ１，Ｓ２をあけるようにしているが、中間横貼りパネル４の縦寸法を窓枠３０の高さ寸法よりも化粧材配置用の間隔Ｓ１，Ｓ２の２倍だけ短く設定して、窓枠３０の上端部を上側横貼りパネル３の下端部に、また窓枠３０の下端部を下側横貼りパネル５の上端部にそれぞれ接するようにし、窓枠３０の水平方向両側のみに上下に化粧材配置用の間隔Ｓ１，Ｓ２をあけて、その各間隔Ｓ１，Ｓ２に化粧材１４，１５を配置するようにすることもできる。
【００５６】
また、上記実施形態２では、窓枠３０を中間横貼りパネル４内に配置しているが、窓枠３０が天井近くや床面近くに配置されるときには、それぞれ窓枠３０上側の横貼りパネル３又は窓枠３０下側の横貼りパネル５を省略すればよい。
【００５７】
さらに、本発明では、上記のように窓枠３０を１枚の横貼りパネル４内に配置することの限定はなく、２枚又は３枚以上の複数枚の横貼りパネル間に跨って窓枠を配置してもよい。
【００５８】
上記各実施形態では、横貼りパネル３〜５間の間隔Ｓ１，Ｓ２に嵌合状態で配置される化粧材１４，１５を裏面にて壁下地材１表面に接着固定しているが、この接着構造の他、上下のジョイナ８，９間に挟み込んで固定するようにすることもできる。例えば、上側の第１ジョイナ８の受部８ｂを中間部が下側に、また下側の第２ジョイナ９の受部９ｂを中間部が上側にそれぞれ膨出した湾曲形状とし、これら受部８ｂ，９ｂに弾性を持たせ、横貼りパネル３〜５間の間隔Ｓ１，Ｓ２に化粧材１４，１５を嵌合したときに、その化粧材１４，１５が両ジョイナ８，９の受部８ｂ，９ｂ間にそれらの弾性によって挟圧状態で固定させるようにすればよい。
【００５９】
また、上記各実施形態では、壁パネル２を３枚の横貼りパネル３〜５に上下に分割しているが、少なくとも２枚の横貼りパネルに上下に分割すればよい。
【００６０】
また、上記各実施形態では、複数の横貼りパネル３〜５を同じ種類や模様のものとしているが、少なくとも一部の種類や模様等を他のパネルの異ならせてもよい。
【００６１】
また、上記各実施形態は、洗面所の壁に適用したものであるが、本発明は、その他、トイレや他の空間の壁にも適用することができ、狭小空間の壁に適用するときに有効である。
【００６２】
【発明の効果】
以上説明したように、請求項１又は８の発明によると、室内の壁下地材上に壁パネルを取り付ける場合において、壁パネルを少なくとも２枚の横貼りパネルに上下に分割し、上下に隣接する横貼りパネルを、両パネル間に間隔をあけてかつ上側横貼りパネルの下端部及び下側横貼りパネルの上端部がそれぞれジョイナにより壁下地材に固定された状態で配置し、上下の横貼りパネル間の間隔に、水平方向に延びる化粧材を固定された状態で配置し、間隔内に位置するジョイナの少なくとも一部を化粧材により覆って隠蔽したことにより、以下の効果が得られる。
【００６３】
（１）　　壁パネルを上下に分割して施工するので、壁全体の１枚もののパネルを施工するのに比べ、施工が容易となる。
【００６４】
（２）　　上記横貼りパネルにおいて床面と接する下端部の基準部を長くして、パネルの垂直や水平の各基準を正確にかつ容易に出すことができ、熟練者でなくても目隙の生じない施工を行うとともに、各横貼りパネルの寸法変化も分散して、パネル間の目隙が生じ難くなる。
【００６５】
（３）　　また、壁パネルの施工は上貼り施工でかつ乾式施工であるので、施工スピードを速くでき、例えばリフォームに好適な施工を行うことができる。
【００６６】
（４）　　さらに、上記横貼りパネルの端部がそれぞれジョイナで固定され、このジョイナにおいて少なくとも壁下地材表面上の部分が化粧材により隠蔽されるとともに、横貼りパネル間の継ぎ目が化粧材により目立ち難くなり、壁の意匠性の向上を図ることができる。
【００６７】
（５）　　さらにまた、上記化粧材を施工後でも容易に取り外すことができ、その取換えを行うことができるとともに、この化粧材の取外しにより露出したジョイナを簡単に取り外すことができ、横貼りパネルの部分的な取外しや交換が容易となる。
【００６８】
（６）　　さらに、横貼りパネルと壁下地材との間に生じる隙間はジョイナの厚さ分だけで薄いので、パネルの室内への突出量を小さくでき、洗面所やトイレ等の狭小空間でも、その内寸法を大きくして室内空間の容積を広くすることができる。
【００６９】
請求項２の発明によると、上側横貼りパネルの下端部を取り付ける上側ジョイナは、壁下地材に取り付けられる取付部と、この取付部の下端部表面から突出し、上側横貼りパネルの下端部を受ける受部とを、また下側横貼りパネルの上端部を取り付ける下側ジョイナは、壁下地材に取り付けられる取付部と、この取付部の下端部表面から突出し、下側横貼りパネルの上端部を受ける受部とをそれぞれ備えてなるものとし、化粧材は上記上側ジョイナの受部と、下側ジョイナの取付部及び受部とを少なくとも隠蔽しているものとしたことにより、壁パネルを複数の横貼りパネルに分割したときの分割面をそれぞれ上下のジョイナの受部で隠すとともに、これら両ジョイナの受部を化粧材により隠蔽でき、壁の意匠性の向上を図ることができる。
【００７０】
請求項３の発明によると、最上端に位置する上側横貼りパネルの上端部表面に廻り縁を、また最下端に位置する下側横貼りパネルの下端部表面に巾木をそれぞれ取り付けたことにより、天井近くの上側横貼りパネルの上端部を廻り縁により、また床面近くの下側横貼りパネルの下端部を巾木によりそれぞれ覆うことができる。
【００７１】
請求項４の発明によれば、化粧材は、タイル又はガラスを備えてなるものとしたことにより、好適な化粧材が具体的に容易に得られる。
【００７２】
請求項５の発明によると、化粧材を、両面テープ、両ファスナ又は接着剤で壁下地材表面に接着したことにより、化粧材の施工及び取外しが容易になる。
【００７３】
請求項６の発明によると、ジョイナは釘又はビスで壁下地材に固定したことにより、ジョイナの壁下地材への望ましい固定構造が得られる。
【００７４】
請求項７の発明によると、窓枠は、１枚の横貼りパネル内に配置されるようにしたことにより、壁に窓枠がある場合でも壁パネルの位置調整が容易となる。
【図面の簡単な説明】
【図１】本発明の実施形態１において上下に隣接する横貼りパネル及びその間の化粧材の取付構造を拡大して示す断面図である。
【図２】最上端の横貼りパネルの上端部の取付構造を拡大して示す断面図である。
【図３】最下端の横貼りパネルの下端部の取付構造を拡大して示す断面図である。
【図４】洗面所の壁における壁パネル全体の取付構造を示す断面図である。
【図５】洗面所の右側壁を示す正面図である。
【図６】洗面所の正面壁を示す図５相当図である。
【図７】洗面所の床面のレイアウトを示す平面図である。
【図８】本発明の実施形態２を示す図５相当図である。
【符号の説明】
１　壁下地材
２　壁パネル
３　上側横貼りパネル
４　中間横貼りパネル
５　下側横貼りパネル
８　第１ジョイナ（上側ジョイナ）
８ａ　取付部
８ｂ　受部
９　第２ジョイナ（下側ジョイナ）
９ａ　取付部
９ｂ　受部
１１　木ビス
１４　化粧材
１５　化粧材
１８　廻り縁
２４　巾木
３０　窓枠
Ｓ１，Ｓ２　間隔
【図１】
2004044195.tif 000003
【図２】
2004044195.tif 000004
【図３】
2004044195.tif 000005
【図４】
2004044195.tif 000006
【図５】
2004044195.tif 000007
【図６】
2004044195.tif 000008
【図７】
2004044195.tif 000009
【図８】
2004044195.tif 000010